(57)【要約】【課題】カビ抑制を行う温度制御を実施する際の壁面温度をより適切に計測することができるミストサウナシステムを提供する。【解決手段】ミストサウナシステムは、温度センサ３４により計測される温度から、浴室１内の壁面１ａをカビを抑制する温度とする温度制御を行うミストサウナ装置３と、前記浴室１内の壁面１ａに設けられ使用者による操作が可能な浴室内リモコン３２とを備える。浴室内リモコン３２には、温度センサ３４が設けられる。【選択図】図１
2014183893.tif 000002
【特許請求の範囲】
【請求項１】
ミストにより浴室内の壁面を結露させつつ、温度計測部により計測される温度から少なくとも浴室内の壁面をカビを抑制する温度とする温度制御を行うミストサウナ装置と、前記浴室内の壁面に設けられ使用者による操作が可能なコントローラとを備え、前記ミストサウナ装置による温度制御の際の温度を計測する温度計測部を、前記コントローラに設けたことを特徴とするミストサウナシステム。
【発明の詳細な説明】
【技術分野】
【０００１】
本発明は、カビの発生を抑える温度以上に浴室内壁面の温度制御を行うミストサウナ装置を備えたミストサウナシステムに関する。
【背景技術】
【０００２】
従来、ミストサウナシステムに備えられるミストサウナ装置として、例えば蒸発したミストを浴室内（室内）へ供給するものが知られている（例えば特許文献１参照）。
【０００３】
特許文献１のミストサウナ装置では、浴室の壁面の温度を約４０度以上に一定時間以上保つようにミストを発生させて壁面の温度制御を行うことで、カビの発生を抑えることができるようになっている。
【先行技術文献】
【特許文献】
【０００４】
【特許文献１】特開２００９−３９２６９号公報
【発明の概要】
【発明が解決しようとする課題】
【０００５】
ところで、上記のようなミストサウナ装置では、カビ抑制を行う温度制御の際に、壁面の温度を例えば約４０度以上とするため、ミストサウナ装置内に収容された温度計測部（例えば赤外線センサやサーミスタ等）を用いている。ここで、ミストサウナ装置はその主体部分が浴室の天井側に設けられ、浴室内にはミストサウナ装置の送風口からミストを導入している。
【０００６】
このため、前述のようにミストサウナ装置内に温度計測部を備えると浴室の壁面温度との差異が生じて壁面温度を適切に計測することが難しい虞がある。
【０００７】
本発明は、上記課題を解決するためになされたものであって、その目的は、カビ抑制を行う温度制御を実施する際の壁面温度をより適切に計測することができるミストサウナシステムを提供することにある。
【課題を解決するための手段】
【０００８】
上記課題を解決するために、ミストサウナシステムは、温度計測部により計測される温度から、少なくとも浴室の壁面をカビの発生を抑える温度以上とする温度制御を行うミストサウナ装置と、前記浴室内の壁面に設けられ使用者による操作が可能なコントローラとを備え、前記ミストサウナ装置による温度制御の際の温度を計測する温度計測部を、前記コントローラに設けた。
【発明の効果】
【０００９】
本発明のミストサウナシステムによれば、カビ抑制を行う温度制御を実施する際の壁面温度をより適切に計測することができる。
【図面の簡単な説明】
【００１０】
【図１】一実施形態の浴室を示す斜視図である。
【図２】ミストサウナ装置を示す斜視図である。
【図３】ミストサウナ装置を示す斜視図である。
【図４】ミストサウナ装置を示す断面図である。
【図５】ミストサウナ装置を示す平面図である。
【図６】ミストサウナ装置の電気的構成を示すブロック図である。
【図７】ミストサウナ装置の浴室内リモコンの構成および取付を示す斜視図である。
【発明を実施するための形態】
【００１１】
以下、ミストサウナシステムの一実施形態を図面に従って説明する。
【００１２】
図１に示すように、本実施形態のミストサウナシステムは、浴室１内の天井面２に設けられてミストを供給するミストサウナ装置３と、前記ミストサウナ装置３に予め設定された種々のコース選択が可能なリモートコントローラ４とを備える。ミストサウナ装置３には、温水器５（図６参照）から熱源として熱水が配管６を介して供給されるとともに、配管７を介して水が供給される。なお、温水器５は、電気温水器及びガス温水器のいずれであってもよい。
【００１３】
図２に示すように、ミストサウナ装置３は、フロントパネル８の上方に本体ケース９が取着されている。そして、ミストサウナ装置３は、前記浴室１内にフロントパネル８を露出させた状態で、本体ケース９が浴室１の天井裏に設置されている。
【００１４】
前記フロントパネル８は、浴室１内の空気を吸い込む吸気口１０と、浴室１内に高温高湿度のミストを送り出す送気口１１とが設けられている。
【００１５】
図３及び図４に示すように、前記本体ケース９内には主に一次熱交換器１２、送風機１３、加湿ユニット１４、二次熱交換器１５が収容されている。
【００１６】
図４に示すように、一次熱交換器１２は、本体ケース９の吸気口１０の上方に設置され、前記温水器５から供給される熱水が循環する熱交換用コイル１６が上下方向に複数層に亘って往復方向に屈曲されて配設されている。
【００１７】
図３及び図４に示すように、送風機１３は、本体ケース９に回転可能に支持された一対のファン１７間にファンモータ１８が配設され、そのファンモータ１８の動作に基づいてファン１７が回転される。そして、ファン１７の回転に基づいて浴室１内の空気が吸気口１０から吸い込まれ、その空気は一次熱交換器１２で温められた後、加湿ユニット１４に案内される。
【００１８】
図３及び図４に示すように、加湿ユニット１４は、前記本体ケース９の中央部において、前記ファン１７から温風が供給される位置に配設され、破砕モータ１９、揚水管２０、遠心破砕円板２１ａ〜２１ｄ、破砕壁２２、貯水部２３等を備えている。
【００１９】
図４に示すように、破砕モータ１９は、本体ケース９の上部に固定される。破砕モータ１９の出力軸２４は下方に延設されるとともに、出力軸２４の下端部には揚水管２０が取着されている。前記揚水管２０は上方に向かって直径が大きくなる逆円錐状の円筒であり、揚水管２０の上端部に取着される軸部を介して出力軸２４に固定されている。従って、揚水管２０は出力軸２４と一体に回転される。
【００２０】
図４に示すように、前記貯水部２３の底面は、出力軸２４を支持する位置が最も深くなる浅いすり鉢状に形成されている。また、前記揚水管２０の下端と貯水部２３の間には数ｍｍ程度の所要の隙間が確保されている。
【００２１】
図３に示すように、前記貯水部２３の側方位置には、流量調整機構と給水の供給／停止を行なう給水弁２５を備えた給水部２６が配設され、その給水部２６には前記配管７から水が供給される。そして、後述する制御部２７（図６参照）の動作により給水弁２５が開かれると、配管７からから供給される水が給水弁２５を介して水が貯水部２３に滴下される。
【００２２】
図３〜図５に示すように、前記揚水管２０の上部には４層の円板状の遠心破砕円板２１ａ〜２１ｄが水平方向となる状態で設けられている。最上層の遠心破砕円板２１ａは揚水管２０の上端部を水平方向に屈曲して形成され、その下方には同一形状の３枚の遠心破砕円板２１ｂ〜２１ｄが最上層の遠心破砕円板２１ａから取付具を介して吊下支持されている。
【００２３】
図４に示すように前記遠心破砕円板２１ａ〜２１ｄの間において、揚水管２０には揚水管２０の内外を連通させる四角形状の開口部２８が前記遠心破砕板２１ａ〜２１ｄの隣り合う板の間に一定間隔毎に形成されている。
【００２４】
このような構成により、給水部２６から貯水部２３に水が供給され、貯水部２３に溜まった水の水面が揚水管２０の下端より上方に達している状態で前記破砕モータ１９の作動により揚水管２０が回転されると、貯水部２３に貯留されている水が遠心力により揚水管２０の内周面に沿って上方へ巻き上げられ、各開口部２８から各遠心破砕円板２１ａ〜２１ｄの上面を薄膜状となって案内された後、遠心破砕円板２１ａ〜２１ｄの周縁からその周囲に細かな水滴となって飛散される。
【００２５】
図３〜図５に示すように、前記揚水管２０に対し前記ファン１７の反対側には前記破砕壁２２が形成されている。破砕壁２２は遠心破砕円板２１ａ〜２１ｄを取り囲むように湾曲する衝立状に形成されるとともに、多数の破砕枠２９が上下方向に設けられて各破砕枠２９間が開口されている。そして、前記遠心破砕円板２１ａ〜２１ｄから飛散される細かな水滴が破砕壁２２及び破砕枠２９に衝突してさらに細かい水粒に破砕され、ファン１７から送風される温風により気化される。
【００２６】
前記揚水管２０とファンモータ１８との間には仕切り壁３０が設けられ、遠心破砕円板２１ａ〜２１ｄから飛散される水滴によるファンモータ１８の濡れを防止している。仕切り壁３０に付着した水滴は、貯水部２３に落下する。また、前記破砕壁２２に付着した水粒も貯水部２３に落下する。
【００２７】
前記破砕壁２２に対し、前記揚水管２０の反対側にはエリミネータ３１及び前記二次熱交換器１５が配設される。エリミネータ３１は細い糸状の樹脂を複雑にからませたものであり、破砕壁２２を通過した温風に含まれる水粒はエリミネータ３１を追加するときに糸状の樹脂に衝突することにより水滴が除去され、水蒸気を含む高湿の空気が二次熱交換器１５に案内される。エリミネータ３１で除去された水粒は、貯水部２３に落下する。
【００２８】
二次熱交換器１５は、本体ケース９の送気口１１の上方に設置され、前記温水器５から供給される熱水が循環する熱交換用コイルが往復方向に屈曲されて配設されている。そして、気化熱を奪われて温度が低下した温風が二次熱交換器１５で再加熱されて、前記送気口１１に案内される。
【００２９】
図１に示すように、ミストサウナシステムのリモートコントローラ４は、浴室１内に設けられる浴室内リモートコントローラ３２（以下、浴室内リモコン３２という）と、例えば脱衣室などの浴室１外に設けられる浴室外リモートコントローラ３３（以下、浴室外リモコン３３という）とを有する。
【００３０】
浴室内リモコン３２及び浴室外リモコン３３は、ミストサウナ装置３の運転方法や運転温度、運転時間などを使用者がボタン操作で選択・実行することが可能となっている。その一例として、図６に示すように、浴室内リモコン３２及び浴室外リモコン３３は、後述するミスト噴霧運転を開始するためのミスト噴霧運転ボタン３２ａ，３３ａと、カビ抑制運転を開始するためのカビ抑制運転ボタン３２ｂ，３３ｂと、各種運転を停止させる停止ボタン３２ｃ、３３ｃとを備える。
【００３１】
図１に示すように、浴室内リモコン３２は、例えば浴室１内の壁面１ａに設けられる。より具体的には浴室１内の壁面１ａに設けられる混合水栓Ｗから上方（天井面２側）に所定距離Ｌ（本実施形態では１５０ｍｍ）以上離間させて同壁面１ａに設置されている。
【００３２】
図１及び図６に示すように、浴室内リモコン３２は、前記ミストサウナ装置３を制御する制御部２７と電気的に接続され、各種信号の送信・受信が行われるものである。また、浴室内リモコン３２には、温度測定部としての温度センサ３４が設けられる。温度センサ３４は例えばサーミスタなどを採用することができる。
【００３３】
また図７に示すように、浴室内リモコン３２は浴室内リモコンカバー３２ｄと浴室内リモコン本体３２ｅで構成されており、前記浴室内リモコン本体３２ｅは内部に温度センサ３４と浴室内リモコン制御部（図示せず）を備えた一体型の構成である。前記浴室内リモコン本体３２ｅは浴室内の壁面１ａに取り付けられることにより前記温度センサ３４は前記浴室１の壁面１ａの温度を検知することとなる。
【００３４】
次に、上記のように構成ミストサウナシステムの作用について説明する。
【００３５】
本実施形態のミストサウナシステムは、浴室１内に高温多湿のミストを噴霧して、浴室１内の使用者に対してサウナ効果を付与するミスト噴霧運転と、浴室１内の壁面１ａを結露させるとともに壁面１ａの温度を所定温度以上として所定時間維持することでカビの発生を抑えるカビ抑制運転が実施可能となっている。
【００３６】
（ミスト噴霧運転）
ミストサウナシステムは、例えば使用者により、浴室内リモコン３２のミスト噴霧運転ボタン３２ａ又は浴室外リモコン３３のミスト噴霧運転ボタン３３ａが押下されることで、ミスト噴霧運転を開始するための制御信号が制御部２７に入力される。制御信号が制御部２７に入力されると、制御部２７は、一次及び二次熱交換器１２，１５に温水が供給され、ファンモータ１８と破砕モータ１９とが回転駆動される。
【００３７】
次いで、制御部２７は、ファンモータ１８及び破砕モータ１９が正常に動作しているか否かを確認した後、給水弁２５を開放して、貯水部２３に水を供給する。
【００３８】
すると、浴室１内の空気が吸気口１０からミストサウナ装置３内に吸い込まれ、一次熱交換器１２で温められて加湿ユニット１４に送られる。加湿ユニット１４では、揚水管２０が回転されて貯水部２３から水が巻き上げられ、その水が遠心破砕円板２１ａ〜２１ｄから細かな水滴となって周囲に飛散される。
【００３９】
遠心破砕円板２１ａ〜２１ｄから破砕壁２２に向かって飛散された水滴は、破砕壁２２に衝突してさらに細かい水粒となり、ファン１７から送風される温風により気化される。
【００４０】
そして、水蒸気を含む高湿の空気が二次熱交換器１５に案内されて再加熱されてミストとして、前記送気口１１から浴室１内に送り出される。
【００４１】
浴室１への高湿空気であるミストの送風が開始されると、制御部２７ではタイマー動作が開始される。そして、あらかじめ設定された時間を経てタイマー動作が終了したとき、あるいは浴室内リモコン３２又は浴室外リモコン３３の停止ボタン３２ｃ、３３ｃが押下されてミスト噴霧運転の停止信号が入力されると、給水弁２５を閉鎖し、乾燥運転を開始する。このとき、制御部２７では、タイマー動作が開始される。
【００４２】
そして、一次及び二次熱交換器１２，１５への温水の供給が維持され、ファンモータ１８と破砕モータ１９が回転駆動される。この動作により、貯水部２３に残った水は気化される。
【００４３】
次いで、例えばタイマーによる計測時間が所定時間経過したとき、制御部２７は、ファンモータ１８及び破砕モータ１９の作動を停止させる。そして、制御部２７は、一次熱交換器１２及び二次熱交換器１５への温水の供給が停止されて、ミスト噴霧運転後の乾燥運転が終了する。
【００４４】
（カビ抑制運転）
本実施形態のミストサウナは、例えば使用者により、浴室内リモコン３２のカビ抑制運転ボタン３２ｂ又は浴室外リモコン３３のカビ抑制運転ボタン３３ｂが押下されることで、カビ抑制運転を開始するための制御信号が制御部２７に入力される。制御信号が制御部２７に入力されると、制御部２７は、一次及び二次熱交換器１２，１５に温水が供給され、ファンモータ１８と破砕モータ１９とが回転駆動される。
【００４５】
次いで、制御部２７は、ファンモータ１８及び破砕モータ１９が正常に動作しているか否かを確認した後、給水弁２５を開放して、貯水部２３に水を供給する。
【００４６】
すると、浴室１内の空気が吸気口１０からミストサウナ装置３内に吸い込まれ、一次熱交換器１２で温められて加湿ユニット１４に送られる。加湿ユニット１４では、揚水管２０が回転されて貯水部２３から水が巻き上げられ、その水が遠心破砕円板２１ａ〜２１ｄから細かな水滴となって周囲に飛散される。
【００４７】
遠心破砕円板２１ａ〜２１ｄから破砕壁２２に向かって飛散された水滴は、破砕壁２２に衝突してさらに細かい水粒となり、ファン１７から送風される温風により気化される。
【００４８】
そして、水蒸気を含む高湿の空気が二次熱交換器１５に案内されて再加熱されてミストとして、前記送気口１１から浴室１内に送り出される。
【００４９】
そして、制御部２７は、浴室内リモコン３２に設けられた温度センサ３４により測定された温度情報に基づいてミストの供給量やミストの温度を適宜変更する。そして、制御部２７は、所定タイミング毎で温度センサ３４により計測された温度が、例えばカビを抑制する温度である約４０度以上となる時間を所定時間（例えば１時間以上）維持するようにミストサウナ装置３によるミストを供給する。なお、温度センサ３４は壁面１ａに設けられる浴室内リモコン３２に設けられているため、温度センサ３４により測定される温度は壁面１ａの温度と略同じ温度となる。
【００５０】
また浴室１への高湿空気であるミストの送風が開始されると、制御部２７ではタイマー動作が開始される。そして、あらかじめ設定された時間を経てタイマー動作が終了したとき、あるいは浴室内リモコン３２の停止ボタン３２ｃ又は浴室外リモコン３３の停止ボタン３３ｃが押下されてカビ抑制運転の停止信号が入力されると、給水弁２５を閉鎖し、乾燥運転を開始する。このとき、制御部２７では、タイマー動作が開始される。
【００５１】
乾燥運転が開始されると、一次及び二次熱交換器１２，１５への温水の供給が維持され、ファンモータ１８と破砕モータ１９が回転駆動される。この動作により、貯水部２３に残った水は気化される。
【００５２】
次いで、例えばタイマーによる計測時間が所定時間経過したとき、ファンモータ１８及び破砕モータ１９の作動が停止される。そして、一次熱交換器１２及び二次熱交換器１５への温水の供給が停止されて、カビ抑制運転後の乾燥運転が終了する。
【００５３】
次に、本実施形態の効果を記載する。
【００５４】
（１）本実施形態のミストサウナシステムは、浴室内リモコン３２に温度センサ３４が設けられることで、浴室１の壁面１ａの温度をより適切に測定することが可能となる。環境に合わせてカビ抑制効果が得られる。また、最適な運転時間をミストサウナ装置３で判断することが可能となり、カビ抑制に最適な運転が可能となる。
【００５５】
（２）浴室内リモコン３２は、混合水栓Ｗから所定距離Ｌだけ離間されているため、この混合水栓Ｗと繋がる配管から離間させることが可能となる。これにより、混合水栓Ｗと繋がる配管による温度変化の影響を抑えつつ壁面１ａの温度をより適切に計測することができる。
【００５６】
（３）カビ抑制運転後に、乾燥運転を行うことで、ミストサウナ装置３内部の湿度を抑えることができるため、カビの発生を抑えることができる。
【００５７】
なお、上記実施形態は、以下のように変更してもよい。
【００５８】
・上記実施形態では、温度測定部としての温度センサ３４にサーミスタを採用したが、これに限らない。
【００５９】
・上記実施形態では、浴室内リモコン３２を混合水栓Ｗから上方に１５０ｍｍ以上離間させた位置に設ける構成としたが、浴室内リモコン３２の位置は壁面１ａであれば適宜変更してもよい。
【００６０】
・上記実施形態では、特に言及していないが、温度センサ３４と、前記壁面１ａとを熱伝導率の高い部材を介して機械的に接触する構成を採用してもよい。このような構成とすることで、より適切に壁面１ａの温度を計測することができる。
【００６１】
・上記実施形態では、特に言及していないが、例えば入浴者が入浴中に行うミスト噴霧運転において、カビ抑制効果のある動作を行うことで、ミスト噴霧運転後のカビ抑制運転時間を削減することが可能となる。
【００６２】
・上記実施形態では、浴室内リモコン３２及び浴室外リモコン３３に使用者により操作可能なカビ抑制運転ボタン３２ｂ，３３ｂを設け、このカビ抑制運転ボタン３２ｂ，３３ｂが押下されると制御部２７によりカビ抑制運転が開始される構成としたが、これに限らない。例えば、ミストサウナシステムとして、予め設定されたコースの後にカビ抑制運転を自動で開始する構成としてもよい。この場合、カビ抑制運転ボタン３２ｂ，３３ｂを省略してもよい。
【００６３】
・上記実施形態では、浴室内リモコン３２及び浴室外リモコン３３の両方にカビ抑制運転ボタン３２ｂ，３３ｂを設ける構成としたが、いずれか一方に設ける構成を採用してもよい。
【００６４】
・上記実施形態では、浴室外リモコン３３を設ける構成としたが、省略する構成を採用してもよい。
【００６５】
・上記実施形態では、カビ抑制運転の際に、温度センサ３４により計測される温度の閾値を略４０度以上としたが、これに限らない。
【００６６】
・上記実施形態では、特に言及していないが、例えば、各種運転時に送気口１１を往復傾動させて送気口１１から送り出されるミストの流れる向きを変更させるようにしてもよい。このような構成とすることで、浴室１内にミストを効率よく噴霧させることが可能となる。
【００６７】
・上記実施形態中のカビ抑制運転及びミスト噴霧運転は一例であって、適宜変更してもよい。特に、カビ抑制運転については、例えば、ミストを用いて壁面１ａ表面のカビの抑制が図れるような手法であれば公知の手法を採用することができる。
【００６８】
・上記変形例を適宜組み合わせてもよい。
【００６９】
上記実施形態並びに上記各変形例では、浴室１の壁面１ａの温度制御と壁面１ａの結露を、高温多湿のミストを噴霧するミストサウナ装置３で行う構成としたが、これに限らない。壁面１ａの温度制御について壁面１ａの温度を制御できれば、例えば、温風により壁面１ａの温度制御を行う構成や、床暖房で壁面１ａの温度制御を行う構成を採用してもよい。また、壁面１ａを結露させる手段として、上記実施形態のように高温多湿のミストではなく、低温多湿のミストを壁面１ａに送り出す構成など、壁面１ａを結露させることができれば適宜変更してもよい。このような構成であっても、コントローラとしての浴室内リモコン３２を壁面１ａに設けて、この浴室内リモコン３２に温度計測部としての温度センサ３４を設けることで、上記実施形態の（１）の効果と同様の効果を奏することができる。
【００７０】
次に、上記実施形態及び上記各変形例から把握できる技術的思想を以下に追記する。
【００７１】
（イ）  浴室内の壁面を結露させる結露手段と、温度計測部により計測される温度から、少なくとも浴室内の壁面をカビを抑制する温度とする温度制御を行う温度制御手段と、前記浴室内の壁面に設けられ使用者による操作が可能なコントローラとを備え、
前記温度制御手段による温度制御の際の温度を計測する温度計測部を、前記コントローラに設けたことを特徴とする浴室用カビ抑制システム。
【産業上の利用可能性】
【００７２】
浴室の壁面の温度をより適切に検出することで、カビ抑制運転時のミストの最適な噴霧時間を判断することが可能となる。その結果、浴室内のカビの発生を抑えて浴室を清潔に保つことが可能となる。
【符号の説明】
【００７３】
１      浴室
１ａ    壁面
２      天井面
３      ミストサウナ装置
４      リモートコントローラ
５      温水器
６      配管
７      配管
８      フロントパネル
９      本体ケース
１０    吸気口
１１    送気口
１２    一次熱交換器
１３    送風機
１４    加湿ユニット
１５    二次熱交換器
１６    熱交換用コイル
１７    ファン
１８    ファンモータ
１９    破砕モータ
２０    揚水管
２１ａ  遠心破砕円板
２１ｂ  遠心破砕円板
２１ｃ  遠心破砕円板
２１ｄ  遠心破砕円板
２２    破砕壁
２３    貯水部
２４    出力軸
２５    給水弁
２６    給水部
２７    制御部
２８    開口部
２９    破砕枠
３０    仕切り壁
３２    浴室内リモコン
３２ａ  ミスト噴霧運転ボタン
３２ｂ  カビ抑制運転ボタン
３２ｃ  停止ボタン
３３ａ  ミスト噴霧運転ボタン
３３ｂ  カビ抑制運転ボタン
３３ｃ  停止ボタン
３４    温度センサ
【図１】
2014183893.tif 000003
【図２】
2014183893.tif 000004
【図３】
2014183893.tif 000005
【図４】
2014183893.tif 000006
【図５】
2014183893.tif 000007
【図６】
2014183893.tif 000008
【図７】
2014183893.tif 000009